【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
印刷媒体を被覆するための装置であって、
第１のウェブ供給部と、
第１のウェブ巻き取り部と、
第２のウェブ供給部と、
第２のウェブ巻き取り部と、
通過する媒体通路を画定する融着器とを備え、
前記第１のウェブ供給部および第１のウェブ巻き取り部は、前記媒体通路の一方の側に配置され、前記第２のウェブ供給部および前記第２のウェブ巻き取り部は、前記第１のウェブ供給部および前記第１のウェブ巻き取り部とは反対側にある前記媒体通路の他方の側に配置され、前記第１のウェブ供給部と前記第１のウェブ巻き取り部と前記第２のウェブ供給部と前記第２のウェブ巻き取り部とは前記媒体通路に略垂直な線に沿って相互に配置されるとともに、さらに
前記媒体通路に沿って前記融着器を通って、前記第１のウェブ供給部から前記第１のウェブ巻き取り部まで走行する第１の被覆材料ウェブと、
前記媒体通路に沿って前記融着器を通って、前記第２のウェブ供給部から前記第２のウェブ巻き取り部まで走行する第２の被覆材料ウェブとを備えることを特徴とする印刷媒体被覆装置。
【請求項２】
前記融着器の下流側に前記媒体通路の延長部を画定する媒体冷却器をさらに備え、前記第１、第２の被覆材料ウェブが前記融着器と前記媒体冷却器を通る前記媒体通路に沿って、対応する前記第１、第２のウェブ供給部から対応する前記第１、第２のウェブ巻取り部までそれぞれ走行することを特徴とする請求項１に記載の印刷媒体被覆装置。
【請求項３】
前記第１のウェブ供給部と前記第１のウェブ巻き取り部とは前記媒体通路の一方の側において、一方が他方の上に配置され、前記第２のウェブ供給部と前記第２のウェブ巻き取り部とは前記媒体通路の他方の側において、一方が他方の上に配置されることを特徴とする請求項１に記載の印刷媒体被覆装置。
【請求項４】
印刷媒体を被覆するための装置であって、
フレームと、
媒体通路の第１の側に近接して前記フレームによって回転可能に支持された第１のウェブ供給スプールと、
前記第１のウェブ供給スプールから始まり、第１のウェブ巻き取りスプールで終わる第１のウェブ通路に沿って、前記第１のウェブ供給スプールの下流側で前記媒体通路の前記第１の側に近接して前記フレームによって回転可能に支持された該第１のウェブ巻き取りスプールと、
前記第１の側とは反対側にある媒体通路の第２の側に近接して前記フレームによって回転可能に支持された第２のウェブ供給スプールと、
該第２の供給スプールから始まり、第２のウェブ巻き取りスプールで終わる第２のウェブ通路に沿って前記第２のウェブ供給スプールの下流側に前記媒体通路の前記第２の側に近接して前記フレームによって回転可能に支持された該第２のウェブ巻き取りスプールと、
前記媒体通路、前記第１の供給スプールと前記第１の巻き取りスプールとの間の前記第１のウェブ通路、および前記第２の供給スプールと前記第２の巻き取りスプールとの間の前記第２のウェブ通路に沿って配置された、前記フレームによって支持される融着器と、
前記第１のウェブ巻き取りスプールおよび前記第２のウェブ巻き取りスプールを駆動するように連結されるモータとを備え、
前記媒体通路、前記第１のウェブ通路、および前記第２のウェブ通路は、前記融着器を互いに符合して通ることを特徴とする印刷媒体被覆装置。
【請求項５】
前記第１、第２のウェブ供給スプール上にそれぞれ第１、第２の被覆材料ウェブを備え、該第１、第２の被覆材料ウェブのそれぞれが被覆材料の層と該被覆材料の層を担持する担体とを有することを特徴とする請求項４に記載の印刷媒体被覆装置。
【請求項６】
前記融着器から下流側に前記媒体通路に沿って配置され、前記フレームによって支持された第１の剥離棒と、
前記融着器から下流側に前記媒体通路に沿って配置され、前記フレームによって支持されて前記第１の剥離棒に対向する第２の剥離棒とをさらに備え、
前記媒体通路、前記第１のウェブ通路、および前記第２のウェブ通路は、前記融着器から前記第１、第２の剥離棒まで、互いに符合していることを特徴とする請求項４に記載の印刷媒体被覆装置。
【請求項７】
前記融着器から下流側に前記媒体通路に沿って配置され、前記第１のウェブ通路内に突出する、前記フレームによって支持された第１の剥離棒と、
前記融着器から下流側に前記媒体通路に沿って配置され、前記第２のウェブ通路内に突出する、前記フレームによって支持された第２の剥離棒とをさらに備え、
前記媒体通路、前記第１のウェブ通路、および前記第２のウェブ通路は、前記融着器から前記第１、第２の剥離棒の少なくとも１つまで、互いに符合していることを特徴とする請求項４に記載の印刷媒体被覆装置。
【請求項８】
前記媒体通路、前記第１のウェブ通路、および前記第２のウェブ通路は、前記融着器に集束し、前記第１、第２の剥離棒から分岐することを特徴とする請求項７に記載の印刷媒体被覆装置。
【請求項９】
印刷媒体被覆装置であって、
媒体通路の第１の側に近接した第１の回転可能なウェブ供給スプールと、
該第１のウェブ供給スプールで始まり、第１の回転可能なウェブ巻き取りスプールで終わる第１のウェブ通路に沿って前記第１のウェブ供給スプールから下流側で前記媒体通路の前記第１の側に近接した第１の回転可能なウェブ巻き取りスプールと、
前記第１の側とは反対側にある前記媒体通路の第２の側に近接した第２の回転可能なウェブ供給スプールと、
該第２のウェブ供給スプールで始まり、第２の回転可能なウェブ巻き取りスプールで終わる第２のウェブ通路に沿って前記第２のウェブ供給スプールから下流側で前記媒体通路の前記第２の側に近接した第２の回転可能なウェブ巻き取りスプールと、
前記第１の供給スプールと前記第１の巻き取りスプールとの間の前記第１のウェブ通路および前記第２の供給スプールと前記第２の巻き取りスプールとの間の前記第２のウェブ通路に沿った融着器であって、互いに係合可能で、融着器ニップを形成する第１および第２のローラを備え、前記融着器ニップは、該融着器を通過する前記媒体通路を画定する融着器と、
前記第１のウェブ巻き取りスプール、前記第２のウェブ巻き取りスプール、および前記融着ローラの少なくとも１つを駆動するように連結される単一のモータとを備え、
前記第１のウェブ供給部と前記第１のウェブ巻き取り部と前記第２のウェブ供給部と前記第２のウェブ巻き取り部とは前記媒体通路に略垂直な線に沿って相互に配置され、前記媒体通路、前記第１のウェブ通路、および前記第２のウェブ通路は、前記融着器を互いに符合して通ることを特徴とする印刷媒体被覆装置。
【請求項１０】
印刷媒体被覆装置であって、
媒体通路の第１の側に近接した第１の回転可能なウェブ供給スプールと、
該第１のウェブ供給スプールで始まり、第１の回転可能なウェブ巻き取りスプールで終わる第１のウェブ通路に沿って前記第１のウェブ供給スプールから下流側で前記媒体通路の前記第１の側に近接した第１の回転可能なウェブ巻き取りスプールと、
前記第１の側とは反対側にある前記媒体通路の第２の側に近接した第２の回転可能なウェブ供給スプールと、
該第２のウェブ供給スプールで始まり、第２の回転可能なウェブ巻き取りスプールで終わる第２のウェブ通路に沿って前記第２のウェブ供給スプールから下流側で前記媒体通路の前記第２の側に近接した第２の回転可能なウェブ巻き取りスプールと、
前記第１の供給スプールと前記第１の巻き取りスプールとの間の前記第１のウェブ通路および前記第２の供給スプールと前記第２の巻き取りスプールとの間の前記第２のウェブ通路に沿った融着器であって、互いに係合可能で、融着器ニップを形成する第１および第２のローラを備え、前記融着器ニップは、該融着器を通過する前記媒体通路を画定する融着器と、
前記第１のウェブ巻き取りスプール、前記第２のウェブ巻き取りスプール、および前記融着ローラの少なくとも１つを駆動するように連結される単一のモータと、
前記モータを駆動するように直接連結される主要駆動ギアと、
該主要駆動ギアと同軸上に搭載された中央駆動ギアと、
前記主要駆動ギアと係合する第２のウェブ巻き取りスペーサギアと、
該第２のウェブ巻き取りスペーサギアと係合する、前記第２のウェブ巻き取りスプールに連結された第２のウェブ巻き取りギアと、
前記第１のウェブ巻き取りスプールに連結された第１のウェブ巻き取りギアと、
互いに係合する第１および第２の反転スペーサギアであって、該第１の反転スペーサギアは前記主要駆動ギアと係合し、該第２の反転スペーサギアは前記第１のウェブ巻き取りギアと係合する該第１および第２のスペーサギアと、
前記中央駆動ギアと係合する、前記第１の融着ローラと連結された第１の融着ギアと、
前記中央駆動ギアと係合する融着スペーサギアと、
前記融着スペーサギアと係合する、前記第２の融着ローラと連結された第２の融着ギアとを備え、
前記媒体通路、前記第１のウェブ通路、および前記第２のウェブ通路は、前記融着器を互いに符合して通ることを特徴とする印刷媒体被覆装置。
【手続補正２】
【補正対象書類名】明細書
【補正対象項目名】発明の名称
【補正方法】変更
【補正の内容】
【発明の名称】印刷媒体被覆装置